(57)【要約】  ビューファインダーやＬＣＤモニター見ないで実際の像の構図を撮影できるように、被写体の実像に撮影領域を表示する焦点距離グリッドを伝達できる撮像装置が開示される。この撮像装置は、被写体を撮影するレンズアッセンブリと、レンズアッセンブリの焦点を調節し、シャッターを動かすレンズ駆動部と、被写体に光を照射する発光ユニットと、被写体に直接光照射されたフレームの形、および撮影領域の変動に基づいて光照射領域を決める光照射制御ユニットと、発光ユニットを操作するための光照射ボタンユニットと、使用者が種々の調節指令を入力するための操作パネルユニットと、操作パネルユニットのズーム機能を実行するズーム処理ユニットと、各ユニットの全体撮影操作を調節する主制御ユニットとを有してなっている。【選択図】図１
2008523700.tif 000002
【特許請求の範囲】
【請求項１】
被写体を撮影するレンズアッセンブリと、
前記レンズアッセンブリの焦点を調節し、シャッターを動かすレンズ駆動部と、
被写体に光を照射する発光ユニットと、
被写体に直接光照射されたフレームの形、および撮影領域の変動に基づいて光照射領域を決める光照射制御ユニットと、
発光ユニットを操作するための光照射ボタンユニットと、
使用者が種々の調節指令を入力するための操作パネルユニットと、
操作パネルユニットのズーム機能を実行するズーム処理ユニットと、
各ユニットの全体撮影操作を調節する主制御ユニットと、
を有してなることを特徴とする焦点距離グリッドを伝達できる撮像装置。
【請求項２】
前記光照射制御ユニットが、被写体に照射された光を肉眼でみることができるようにフレーム領域に表示する透過窓と、ズーム機能により撮影領域を変えるとき光照射ユニットを動かすモーター駆動部とを有してなることを特徴とする請求項１記載の焦点距離グリッドを伝達できる撮像装置。
【請求項３】
被写体の存在の有無を確認するための赤外光を送る赤外光送信ユニットと、反射した赤外光を受光する赤外光受光ユニットとをさらに有してなることを特徴とする請求項１または２記載の焦点距離グリッドを伝達できる撮像装置。
【請求項４】
撮影画像をデジタルデータに変換するデジタル変換ユニットと、撮影画像を記憶するメモリーユニットとをさらに有してなることを特徴とする請求項１または２記載の焦点距離グリッドを伝達できる撮像装置。
【請求項５】
焦点距離（ＦＬ）グリッドのフレーム比を４：３モードまたは３：３モードに設定するモード設定ユニットをさらに有してなることを特徴とする請求項１または２記載の焦点距離グリッドを伝達できる撮像装置。
【発明の詳細な説明】
【技術分野】
【０００１】
本発明は、焦点距離グリッドを伝達できる撮像装置、より詳細には、ビューファインダーやＬＣＤモニター見ないで実際の像の構図を撮影できるように、被写体の像に撮影領域を表示する焦点距離グリッドを伝達できる撮像装置に関する。
【背景技術】
【０００２】
従来の撮像装置においては、使用者は、撮影時にビューファインダーまたはＬＣＤモニターを通して撮影される被写体の構図または画面を予め見ることができる。しかしながら、使用者が従来のビューファインダーまたはＬＣＤモニターを見るとき、使用者は片目を閉じるか、目をＬＣＤモニターから一定距離離さなければならない、という制約がある。
【発明の開示】
【発明が解決しようとする課題】
【０００３】
従って、本発明は従来技術における上記問題点を解決すべく行われたものであり、本発明の目的は、使用者が意図した焦点距離での構図が発光ユニットから実際の被写体像で表示され、これにより使用者は、ビューファインダーやＬＣＤモニターを見ずにフレーム内に撮影の構図を把えて被写体を配置することができる焦点距離グリッドを伝達できる撮像装置を提供することにある。
【発明の効果】
【０００４】
本発明による焦点距離グリッドを伝達できる撮像装置は、使用者が意図した焦点距離の構図が発光ユニットから実際の被写体像で表示され、使用者はビューファインダーやＬＣＤモニターを見ずにフレーム内に撮影の構図を把えて被写体を配置することができ、非常に便利となる。
【発明を実施するための最良の形態】
【０００５】
本発明の好ましい実施の形態を、添付した図面を参照して詳細に説明する。
図１は、本発明の焦点距離グリッドを伝達できる撮像装置を説明するブロック図である。
図１にあるように、この撮像装置は、被写体を撮影するレンズアッセンブリ１１５、レンズアッセンブリの焦点を調節し、シャッターを動かすレンズ駆動部１１０、被写体に光を照射する発光ユニット１２０、被写体に直接光照射されたフレームの形、および撮影領域の変動に基づいて光照射領域を決める光照射制御ユニット１２５、発光ユニット１２０を操作するための光照射ボタンユニット１３０、使用者によって種々の調節指令を入力する操作パネルユニット１３５、操作パネルユニット１３５のズーム機能を実行するズーム処理ユニット１４０、各ユニットの全体撮影動作を調節する主制御ユニット１０５を有して構成される。
【０００６】
より具体的には、使用者が本発明の撮像装置にある光照射ボタンユニット１３０を押すと、発光ユニット１２０からの光が被写体の実像に照射され、カメラレンズに組み込まれた焦点距離（ＦＬ）グリッドの中央自動焦点（ＡＦ）ポイントを用いて被写体の正確な位置を把握し、これにより撮影されるフレームを示すことができる。従って、ビュアファインダーやＬＣＤモニターで被写体の位置や構図を確認する必要がない。ここで、発光ユニット１２０は、ＡＦポイントを通して被写体の焦点を合わせて、焦点距離（ＦＬ）グリッドは、四角形のフレームを一緒に表示している。
【０００７】
この説明においては、フレームの形は四角形であるが、この発明は四角形に限定されるものではない。本発明によれば、フレームの形は、円形でも、楕円形でも、菱形などでもよい。すなわち、図２に示す透過窓の形は、実際の像の上に種々の形で表示されることができる。
【０００８】
より具体的には、使用者が本発明の撮像装置にある光照射ボタンユニット１３０を押すと、発光ユニット１２０からの光が出て、被写体を照射する。ここで、照射された中央自動焦点（ＡＦ）ポイントと四角のフレーム領域は、撮像装置に形成された像の領域を示す。
【０００９】
光照射制御ユニット１２５は、被写体に直接照射されたフレームの形を決定して、ズーム機能や距離変更など撮影領域を変える場合に、変更された光照射領域を調節する。より明確には、使用者が操作パネルユニット１３５を操作したときに、光照射制御ユニット１２５は、インプットされた指令から主制御ユニット１０５を通して光照射の領域を調節して、それを発光ユニット１２０を通して実際の像に表示する。
【００１０】
本発明のさらに追加する態様によれば、焦点距離グリッドを送達する撮像装置は、さらに被写体の存在の有無を確認するための赤外光を送る赤外光送信ユニット１６５と、反射した赤外光を受光する赤外光受光ユニット１６０を有している。
【００１１】
上記したように、赤外光送信ユニット１６５により被写体に赤外光が照射され、被写体で反射した赤外光は再度赤外光受光ユニット１６０に受け、被写体の有無が確認できる。ここで、被写体が存在しない、すなわち、ＡＦに相当する領域がないか、ＡＦポイントが無限距離にあるときには、ＡＦポイントと焦点距離グリッドの四角のフレームは共に表示されない。
【００１２】
本発明の別の追加する態様によれば、焦点距離グリッドを送達する撮像装置は、さらに撮影画像をデジタルデータに変換するデジタル変換ユニット１４５と、撮影画像（収束画像データ）を記憶するメモリーユニット１５０を有している。
【００１３】
従って、本発明の撮像装置をデジタル撮像装置に適用する場合には、被写体の撮像は、デジタル変換ユニット１４５によってデジタルデータに変換され、変換された画像データはメモリーユニット１５０に記憶される。
【００１４】
本発明のまた別の追加の態様によれば、焦点距離グリッドを送達する撮像装置は、さらにＦＬグリッドのフレーム比を４：３モードまたは３：３モードなどに設定するモード設定ユニット１５５を有している。
これにより、ＦＬグリッドのフレーム比を４：３モードまたは３：３モードなどに設定することができ、デジタル撮像装置に使用できる。
【００１５】
図２は、本発明の別の実施の形態による本発明の焦点距離グリッドを伝達できる撮像装置を説明するブロック図である。
図２に示すように、焦点距離グリッドを伝達できる撮像装置の光照射制御ユニットは、被写体に照射されている光を肉眼で見ることができるようにフレーム領域で表示する透過窓２２０と、肉眼で被写体に照射されている光を見ることができ、またズーム機能により撮影領域を変えるときに発光ユニット１２０を動かすモーター駆動部２１０を有している。
【００１６】
より具体的には、使用者が本発明による撮像装置の光照射ボタニュニット１３０ａを押すと、カメラレンズに装着された焦点距離（ＦＬ）グリッドの中央自動焦点（ＡＦ）ポイントにより被写体の位置を把握できるように透過窓２２０からの光が被写体の実際の像に照射され、これにより撮影されるフレームを表示するようになる。
【００１７】
発光ユニット１２０は、機構的にモーター駆動部２１０に接続されていて、モーター駆動部２１０の作動により透過窓２２０に近づけたり離したりすることができ、ズーム処理ユニット１４０ａのズーミング機能による実際の像に表示される焦点距離（ＦＬ）グリッドの領域を、拡大したり縮小したりすることができる。
【００１８】
より詳細には、使用者が操作パネルユニット１３５ａを操作すると、その信号が主制御ユニット１０５ａを通して各ユニットに伝えられ、ズーム処理ユニット１４０ａによりズーム機能（拡大または縮小）を実行する。同時に、撮影フレーム領域は、撮影領域の変更で変えられ、光照射ユニット１２０は左右方向に動く。
【００１９】
光照射ユニット１２０で発生した光は、被写体に照射される。ここで、照射された中央自動焦点（ＡＦ）ポイントと四角のフレーム領域は、撮像装置に形成された像の領域を示す。
【００２０】
図３は、本発明により、被写体を平坦な壁に映し出した自動焦点（ＡＦ）ポイントと四角のフレーム領域を説明している。
図３に示されているように、使用者が本発明の撮像装置の光照射ボタンユニット１３０を押すと、ＡＦポイントと四角のフレーム領域は、発光ユニット１２０から同時に伝達され、例えば被写体である壁の正確な位置が把握され、最終の撮影領域が、実際の像の構図で写し出される。このとき、使用者が光照射ボタニュニット１３０ａを再度押すと、ＦＬグリッドのフレーム領域に示された四角のフレームにある部分のみ最終製品として記憶され、その画像がフィルム上に形成される。
【００２１】
光照射ボタンユニット１３０は、従来の撮像装置にある撮影ボタンを改造した自動、半自動のシャッターであってよい。しかしながら、ボタンは別に作られてもよい。本発明の撮像装置の撮影ボタンは、光照射ボタンであることが好ましい。
【００２２】
図４は、本発明による低い角度にある被写体の自動焦点（ＡＦ）ポイントと四角のフレーム領域である。
図４にあるように、使用者は、画像と被写体の横／縦方向の構図をビューファインダーあるいはＬＣＤモニターを見ることなくチェックすることができるので、使用者は、被写体の構図をチェックするのに低い姿勢をすることなしにＡＦポイントと四角のフレーム領域を用いて、低角度あるいは高角度にある実際の像の構図を捉えることができる。
【００２３】
図５は、本発明による焦点距離グリッドを伝達できる撮像装置の光照射制御ユニットの実施の形態を説明する斜視図である。
図５に示されているように、光照射制御ユニット１２５は、被写体に直接照射されたフレームの形を決め、ズーミング機能や距離を変えたときなど撮影領域の変更の場合における光照射の領域を調整をしている。より詳細には、使用者が操作パネルユニット１３５を操作すると、光照射制御ユニット１２５は、インプットされた指令で主制御ユニット１０５により光照射領域を調節して、それを光照射ユニット１２０により実際の像の上に表示するようになる。
【００２４】
さらにより具体的には、本発明の透過窓２２０は、カメラの一側に装着されているので、使用者が本発明による撮像装置の光照射ボタンユニット１３０を押したとき、光照射ユニット１２０によって光が照射され、撮影領域が透過窓２２０の形による実際の像の構図で表示される。このとき、使用者が被写体を撮影すると、ＦＬグリッドのフレーム領域に表示される四角フレームにある部分のみが、最終製品として記憶され、またはその像がフィルム上に形成される。
【００２５】
ここで、使用者が操作パネルユニット１３５のズーム機能を操作したとき、操作された信号は主制御ユニット１０５を通して各ユニットに伝えられ、これにより主制御ユニット１０５に接続されているモーター駆動部２１０を稼動してズーム機能（拡大または縮小）を実行する。
【００２６】
この発明は、現時点で最も実際的、かつ好ましい実施の形態と考えられるものを記載した。本発明は、この形態、図面に限定されるものではなく、特許請求の範囲に記載された精神と範囲において多種の修正、変更が可能である。
【図面の簡単な説明】
【００２７】
【図１】本発明の焦点距離グリッドを伝達できる撮像装置を説明するブロック図である。
【図２】本発明の別の実施の形態による本発明の焦点距離グリッドを伝達できる撮像装置を説明するブロック図である。
【図３】被写体を平坦な壁に映し出したＡＦポイントとＦＬグリッドのフレーム領域を示している。
【図４】低い角度にある被写体のＡＦポイントとＦＬグリッドのフレーム領域を示している。
【図５】光照射制御ユニットの実施の形態を説明する斜視図である。
【図１】
2008523700.tif 000003
【図２】
2008523700.tif 000004
【図３】
2008523700.tif 000005
【図４】
2008523700.tif 000006
【図５】
2008523700.tif 000007
【国際調査報告】
2008523700.tif 000008
2008523700.tif 000009